(57)【要約】【課題】残容量を算出するためのパラメータが異なる二次電池を有するパック電池に差し替えられた場合であっても、残容量の誤差を低減して算出することが可能な二次電池の残容量の算出方法、電池駆動装置、パック電池及び情報処理システムを提供する。【解決手段】ＦＧＩＣ５のＣＰＵ５１は、パック電池１０１が装着されたことを検出して、パック電池１０１のＥＥＰＲＯＭ２２から二次電池１の残容量算出用のテーブル（パラメータ）を読み出す要求を、通信部５５を介してパック電池１０１の通信部２１に送信し、パック電池１０１の通信部２１からテーブルを受信し、受信したテーブルに基づいて二次電池１の残容量を算出する。一方のパック電池１０１の通信部２１は、ＦＧＩＣ５の通信部５５から残容量算出用のテーブルを読み出す要求を受信して、ＥＥＰＲＯＭ２２からテーブルを読み出し、読み出したテーブルをＦＧＩＣ５の通信部５５に送信する。【選択図】図１
2013050358.tif 000002
【特許請求の範囲】
【請求項１】
二次電池及び該二次電池の残容量を算出するためのパラメータを記憶するメモリを備えるパック電池と通信可能及び切離し可能に接続されており、前記二次電池によって駆動される電気機器で前記二次電池の残容量を算出する方法であって、
前記電気機器は、
前記パック電池と接続されたか否かを検出し、
接続を検出した場合、前記メモリから前記パラメータを読み出す要求を前記パック電池に送信し、
前記パック電池は、
前記電気機器から受信した要求に従い、前記メモリから前記パラメータを読み出して前記電気機器に送信し、
前記電気機器は、
前記パック電池から受信したパラメータに基づいて前記残容量を算出すること
を特徴とする二次電池の残容量の算出方法。
【請求項２】
前記電気機器は、
記憶部を備えており、
前記パック電池は、
自身を識別するための識別情報を前記メモリに記憶してあり、
前記電気機器は、
前記パック電池との接続を検出する都度、前記メモリから前記識別情報を読み出す要求を前記パック電池に送信し、
前記パック電池は、
前記電気機器から受信した要求に従い、前記メモリから前記識別情報を読み出して前記電気機器に送信し、
前記電気機器は、
前記パック電池から受信した識別情報が前記記憶部に記憶されているか否かを判定すると共に、受信した識別情報を前記記憶部に記憶し、
記憶されていると判定した場合、前記パラメータを読み出す要求の送信を抑止し、
記憶されていないと判定した場合、前記パック電池から受信したパラメータを前記記憶部に記憶し、
記憶したパラメータに基づいて前記残容量を算出すること
を特徴とする請求項１に記載の二次電池の残容量の算出方法。
【請求項３】
前記識別情報は、複数の情報を含み、
前記パラメータは、複数のデータを含み
前記電気機器は、
識別情報のうちの一部の情報が前記記憶部に記憶されていないと判定した場合、前記メモリから前記パラメータのうちの一部又は全部のデータを読み出す要求を前記パック電池に送信し、
前記パック電池は、
前記電気機器から受信した要求に従い、前記メモリから前記パラメータのうちの一部又は全部のデータを読み出して前記電気機器に送信し、
前記電気機器は、
前記パック電池から受信したデータを、前記記憶部に記憶したパラメータに上書きし、
上書きされたパラメータに基づいて前記残容量を算出すること
を特徴とする請求項２に記載の二次電池の残容量の算出方法。
【請求項４】
前記識別情報は、前記パック電池の型式情報、前記二次電池の組成を示す組成情報、及び前記パック電池の製造番号情報を含むことを特徴とする請求項３に記載の二次電池の残容量の算出方法。
【請求項５】
前記電気機器は、
前記記憶部に記憶したパラメータの一部又は全部のデータを更新し、
更新したデータを、前記メモリに記憶されたパラメータに上書きする要求を前記パック電池に送信し、
前記パック電池は、
前記電気機器から受信した要求に従い、前記メモリに記憶したパラメータに、要求されたデータを上書きすること
を特徴とする請求項３又は４に記載の二次電池の残容量の算出方法。
【請求項６】
前記パック電池は、
第２のメモリを備え、
前記電気機器は、
前記パラメータに上書きする要求に、上書きすべきデータの誤り検査コードを付加し、
前記パック電池は、
前記電気機器から受信した要求に従い、前記パラメータに上書きすべきデータを前記第２のメモリに記憶し、
受信した要求に含まれる誤り検査コードに基づいて、上書きすべきデータの誤りの有無を検査し、
誤りがない場合、前記第２のメモリに記憶したデータを、前記メモリに記憶したパラメータに上書きすること
を特徴とする請求項５に記載の二次電池の残容量の算出方法。
【請求項７】
前記第２のメモリのサイズは、前記記憶部に記憶されたパラメータのうち、更新されたデータのサイズより大きいことを特徴とする請求項６に記載の二次電池の残容量の算出方法。
【請求項８】
二次電池及び該二次電池の残容量を算出するためのパラメータを記憶するメモリを有するパック電池と、該パック電池と通信可能及び切離し可能に接続されており、前記二次電池によって駆動される電気機器とを備える電池駆動装置であって、
前記電気機器は、
前記パック電池と接続されたか否かを検出する手段と、
該手段が接続を検出した場合、前記メモリから前記パラメータを読み出すパラメータ読出要求を前記パック電池に送信するパラメータ要求送信手段と、
前記パック電池から受信したパラメータに基づいて前記残容量を算出する算出手段とを備え、
前記パック電池は、
前記電気機器から受信したパラメータ読出要求に従い、前記メモリから前記パラメータを読み出して前記電気機器に送信するパラメータ返送手段を備えること
を特徴とする電池駆動装置。
【請求項９】
前記パック電池は、
自身を識別するための識別情報を前記メモリに記憶してあり、
前記電気機器は、
記憶部と、
前記パック電池との接続を検出する都度、前記メモリから前記識別情報を読み出す識別情報読出要求を前記パック電池に送信する手段と、
前記パック電池から受信した識別情報が前記記憶部に記憶されているか否かを判定すると共に、受信した識別情報を前記記憶部に記憶する判定記憶手段と、
該判定記憶手段が記憶されていると判定した場合、前記パラメータを読み出すパラメータ読出要求の送信を抑止する手段と、
前記判定記憶手段が記憶されていないと判定した場合、前記パック電池から受信したパラメータを前記記憶部に記憶する手段とを備え、
前記算出手段は、前記記憶部に記憶されたパラメータに基づいて前記残容量を算出するようにしてあり、
前記パック電池は、
前記電気機器から受信した識別情報読出要求に従い、前記メモリから前記識別情報を読み出して前記電気機器に送信する手段を備えること
を特徴とする請求項８に記載の電池駆動装置。
【請求項１０】
前記識別情報は、複数の情報を含み、
前記パラメータは、複数のデータを含み
前記電気機器が備えるパラメータ要求送信手段は、
前記判定記憶手段が識別情報のうちの一部の情報が記憶されていないと判定した場合、前記メモリから前記パラメータのうちの一部又は全部のデータを読み出す要求を前記パック電池に送信するようにしてあり、
前記電気機器は、
前記パック電池から受信したデータを、前記記憶部に記憶したパラメータに上書きする手段を備え、
前記算出手段は、前記記憶部で上書きされたパラメータに基づいて前記残容量を算出するようにしてあり、
前記パック電池が備えるパラメータ返送手段は、
前記電気機器から受信したパラメータ読出要求に従い、前記メモリから前記パラメータのうちの一部又は全部のデータを読み出して前記電気機器に送信するようにしてあること
を特徴とする請求項９に記載の電池駆動装置。
【請求項１１】
前記識別情報は、前記パック電池の型式情報、前記二次電池の組成を示す組成情報、及び前記パック電池の製造番号情報を含むことを特徴とする請求項１０に記載の電池駆動装置。
【請求項１２】
前記電気機器は、
前記記憶部に記憶したパラメータの一部又は全部のデータを更新する手段と、
該手段が更新したデータを、前記メモリに記憶されたパラメータに上書きするパラメータ上書要求を前記パック電池に送信する手段とを備え、
前記パック電池は、
前記電気機器から受信したパラメータ上書要求に従い、前記メモリに記憶したパラメータに、要求されたデータを上書きする手段を備えること
を特徴とする請求項１０又は１１に記載の電池駆動装置。
【請求項１３】
二次電池及び該二次電池の残容量を算出するためのパラメータを記憶するメモリを備え、前記二次電池に対して充放電する電気機器と通信可能及び切離し可能に接続されるべきパック電池であって、
受信した要求に従い、前記メモリから前記パラメータを読み出して送信する手段を備えることを特徴とするパック電池。
【請求項１４】
自身を識別するための識別情報を前記メモリに記憶してあり、
受信した要求に従い、前記メモリから前記識別情報を読み出して送信する手段を備えることを特徴とする請求項１３に記載のパック電池。
【請求項１５】
前記識別情報は、複数の情報を含み、
前記パラメータは、複数のデータを含み、
前記パラメータ返送手段は、受信したパラメータ読出要求に従い、前記メモリから前記パラメータのうちの一部又は全部のデータを読み出して送信するようにしてあること
を特徴とする請求項１４に記載のパック電池。
【請求項１６】
前記識別情報は、前記パック電池の型式情報、前記二次電池の組成を示す組成情報、及び前記パック電池の製造番号情報を含むことを特徴とする請求項１５に記載のパック電池。
【請求項１７】
受信した要求に従い、前記メモリに記憶したパラメータに、要求されたデータを上書きする手段を備えることを特徴とする請求項１５又は１６に記載のパック電池。
【請求項１８】
請求項９から１３の何れか１項に記載の電池駆動装置と、該電池駆動装置とネットワークを介して通信可能に接続された情報処理装置とを含む情報処理システムであって、
前記電池駆動装置が備える電気機器は、
該電気機器が有する記憶部に記憶した識別情報を前記情報処理装置に送信する識別情報送信手段を備え、
前記情報処理装置は、
前記電池駆動装置が備えるパック電池の識別情報に対応付けて、該パック電池の不具合の有無を示す不具合情報を記憶する不具合情報記憶手段と、
前記電気機器から受信した識別情報に対応して前記不具合情報記憶手段に記憶されている不具合情報を前記電気機器に送信する手段とを備え、
前記電気機器は、
前記情報処理装置から受信した不具合情報を、前記パック電池が有するメモリに上書きする不具合情報上書要求を前記パック電池に送信する手段を備え、
前記パック電池は、
前記電気機器から受信した不具合情報上書要求に従い、要求された不具合情報を前記メモリに上書きする手段を備えること
を特徴とする情報処理システム。
【請求項１９】
前記パック電池は、
自身のメモリに、前記二次電池の使用履歴情報を記憶するようにしてあり、
前記電気機器は、
前記メモリから前記使用履歴情報を読み出す使用履歴情報読出要求を前記パック電池に送信する手段と、
前記パック電池から受信した使用履歴情報を前記記憶部に記憶する手段と、
前記記憶部に記憶した使用履歴情報を更新する手段と、
該手段が更新した使用履歴情報を、前記メモリに記憶する使用履歴情報記憶要求を前記パック電池に送信する手段とを備え、
前記パック電池は、
前記電気機器から受信した使用履歴情報読出要求に従い、前記メモリから前記使用履歴情報を読み出して前記電気機器に送信する手段と、
前記電気機器から受信した使用履歴情報記憶要求に従い、要求された使用履歴情報を前記メモリに記憶する手段とを備え、
前記電気機器の識別情報送信手段は、前記記憶部に記憶した識別情報及び使用履歴情報を前記情報処理装置に送信するようにしてあり、
前記情報処理装置は、
前記パック電池の識別情報に対応付けて前記二次電池の使用履歴情報を記憶する使用履歴情報記憶手段と、
前記電気機器から受信した識別情報に対応して前記使用履歴情報記憶手段に記憶されている使用履歴情報を、前記電気機器から受信した使用履歴情報で更新する手段と、
該手段が更新した使用履歴情報に基づいて、前記パック電池の不具合の有無を判定する手段と、
該手段が不具合有と判定した場合、前記パック電池の不具合情報を前記電気機器に送信する手段とを備えること
を特徴とする請求項１８に記載の情報処理システム。
【請求項２０】
前記電気機器は、
前記メモリから前記不具合情報を読み出す不具合情報読出要求を前記パック電池に送信する手段と、
前記パック電池から受信した不具合情報が不具合有を示すか否かを判定する手段と、
該手段が不具合有を示すと判定した場合、所定の表示を行うと共に前記二次電池の充電を抑止する手段と
を備え、
前記パック電池は、前記電気機器から受信した不具合情報読出要求に従い、前記メモリから前記不具合情報を読み出して前記電気機器に送信する手段を備えること
を特徴とする請求項１８又は１９に記載の情報処理システム。
【発明の詳細な説明】
【技術分野】
【０００１】
本発明は、二次電池の残容量を算出するパラメータを記憶するパック電池と通信可能及び切離し可能に接続された電気機器で前記二次電池の残容量を算出する方法、前記二次電池及び電気機器を備える電池駆動装置、パック電池、並びに前記電池駆動装置及び情報処理装置を備える情報処理システムに関する。
【背景技術】
【０００２】
従来、小容量のパック電池が装着される携帯電話機、携帯情報端末等の小型の電気機器では、パック電池内の二次電池の残容量の算出が、電気機器の本体側の電池残量計測手段（マイコン又は残容量ＩＣ）にて行われている。例えば、特許文献１では、装置内にメモリ、二次電池及びマイコンを備えており、マイコンが二次電池の電圧に基づいて残量を検出する情報端末装置が開示されている。
【先行技術文献】
【特許文献】
【０００３】
【特許文献１】特開２００２−２２９６８８号公報
【発明の概要】
【発明が解決しようとする課題】
【０００４】
しかしながら、特許文献１に開示された技術では、残容量の検出に必要なパラメータを装置内のメモリに記憶することとなるため、二次電池の使用期間、電池の組成等の違いによってパラメータが異なるパック電池に差し替えられた場合は、算出された残容量に含まれる誤差の大きさが無視できないものとなる問題があった。
【０００５】
本発明は斯かる事情に鑑みてなされたものであり、その目的とするところは、残容量を算出するためのパラメータが異なる二次電池を有するパック電池に差し替えられた場合であっても、残容量の誤差を低減して算出することが可能な二次電池の残容量の算出方法、電池駆動装置、パック電池及び情報処理システムを提供することにある。
【課題を解決するための手段】
【０００６】
本発明に係る二次電池の残容量の算出方法は、二次電池及び該二次電池の残容量を算出するためのパラメータを記憶するメモリを備えるパック電池と通信可能及び切離し可能に接続されており、前記二次電池によって駆動される電気機器で前記二次電池の残容量を算出する方法であって、前記電気機器は、前記パック電池と接続されたか否かを検出し、接続を検出した場合、前記メモリから前記パラメータを読み出す要求を前記パック電池に送信し、前記パック電池は、前記電気機器から受信した要求に従い、前記メモリから前記パラメータを読み出して前記電気機器に送信し、前記電気機器は、前記パック電池から受信したパラメータに基づいて前記残容量を算出することを特徴とする。
【０００７】
本発明に係る二次電池の残容量の算出方法は、前記電気機器は、記憶部を備えており、前記パック電池は、自身を識別するための識別情報を前記メモリに記憶してあり、前記電気機器は、前記パック電池との接続を検出する都度、前記メモリから前記識別情報を読み出す要求を前記パック電池に送信し、前記パック電池は、前記電気機器から受信した要求に従い、前記メモリから前記識別情報を読み出して前記電気機器に送信し、前記電気機器は、前記パック電池から受信した識別情報が前記記憶部に記憶されているか否かを判定すると共に、受信した識別情報を前記記憶部に記憶し、記憶されていると判定した場合、前記パラメータを読み出す要求の送信を抑止し、記憶されていないと判定した場合、前記パック電池から受信したパラメータを前記記憶部に記憶し、記憶したパラメータに基づいて前記残容量を算出することを特徴とする。
【０００８】
本発明に係る二次電池の残容量の算出方法は、前記識別情報は、複数の情報を含み、前記パラメータは、複数のデータを含み前記電気機器は、識別情報のうちの一部の情報が前記記憶部に記憶されていないと判定した場合、前記メモリから前記パラメータのうちの一部又は全部のデータを読み出す要求を前記パック電池に送信し、前記パック電池は、前記電気機器から受信した要求に従い、前記メモリから前記パラメータのうちの一部又は全部のデータを読み出して前記電気機器に送信し、前記電気機器は、前記パック電池から受信したデータを、前記記憶部に記憶したパラメータに上書きし、上書きされたパラメータに基づいて前記残容量を算出することを特徴とする。
【０００９】
本発明に係る二次電池の残容量の算出方法は、前記識別情報は、前記パック電池の型式情報、前記二次電池の組成を示す組成情報、及び前記パック電池の製造番号情報を含むことを特徴とする。
【００１０】
本発明に係る二次電池の残容量の算出方法は、前記電気機器は、前記記憶部に記憶したパラメータの一部又は全部のデータを更新し、更新したデータを、前記メモリに記憶されたパラメータに上書きする要求を前記パック電池に送信し、前記パック電池は、前記電気機器から受信した要求に従い、前記メモリに記憶したパラメータに、要求されたデータを上書きすることを特徴とする。
【００１１】
本発明に係る二次電池の残容量の算出方法は、前記パック電池は、第２のメモリを備え、前記電気機器は、前記パラメータに上書きする要求に、上書きすべきデータの誤り検査コードを付加し、前記パック電池は、前記電気機器から受信した要求に従い、前記パラメータに上書きすべきデータを前記第２のメモリに記憶し、受信した要求に含まれる誤り検査コードに基づいて、上書きすべきデータの誤りの有無を検査し、誤りがない場合、前記第２のメモリに記憶したデータを、前記メモリに記憶したパラメータに上書きすることを特徴とする。
【００１２】
本発明に係る二次電池の残容量の算出方法は、前記第２のメモリのサイズは、前記記憶部に記憶されたパラメータのうち、更新されたデータのサイズより大きいことを特徴とする。
【００１３】
本発明に係る電池駆動装置は、二次電池及び該二次電池の残容量を算出するためのパラメータを記憶するメモリを有するパック電池と、該パック電池と通信可能及び切離し可能に接続されており、前記二次電池によって駆動される電気機器とを備える電池駆動装置であって、前記電気機器は、前記パック電池と接続されたか否かを検出する手段と、該手段が接続を検出した場合、前記メモリから前記パラメータを読み出すパラメータ読出要求を前記パック電池に送信するパラメータ要求送信手段と、前記パック電池から受信したパラメータに基づいて前記残容量を算出する算出手段とを備え、前記パック電池は、前記電気機器から受信したパラメータ読出要求に従い、前記メモリから前記パラメータを読み出して前記電気機器に送信するパラメータ返送手段を備えることを特徴とする。
【００１４】
本発明に係る電池駆動装置は、前記パック電池は、自身を識別するための識別情報を前記メモリに記憶してあり、前記電気機器は、記憶部と、前記パック電池との接続を検出する都度、前記メモリから前記識別情報を読み出す識別情報読出要求を前記パック電池に送信する手段と、前記パック電池から受信した識別情報が前記記憶部に記憶されているか否かを判定すると共に、受信した識別情報を前記記憶部に記憶する判定記憶手段と、該判定記憶手段が記憶されていると判定した場合、前記パラメータを読み出すパラメータ読出要求の送信を抑止する手段と、前記判定記憶手段が記憶されていないと判定した場合、前記パック電池から受信したパラメータを前記記憶部に記憶する手段とを備え、前記算出手段は、前記記憶部に記憶されたパラメータに基づいて前記残容量を算出するようにしてあり、前記パック電池は、前記電気機器から受信した識別情報読出要求に従い、前記メモリから前記識別情報を読み出して前記電気機器に送信する手段を備えることを特徴とする。
【００１５】
本発明に係る電池駆動装置は、前記識別情報は、複数の情報を含み、前記パラメータは、複数のデータを含み前記電気機器が備えるパラメータ要求送信手段は、前記判定記憶手段が識別情報のうちの一部の情報が記憶されていないと判定した場合、前記メモリから前記パラメータのうちの一部又は全部のデータを読み出す要求を前記パック電池に送信するようにしてあり、前記電気機器は、前記パック電池から受信したデータを、前記記憶部に記憶したパラメータに上書きする手段を備え、前記算出手段は、前記記憶部で上書きされたパラメータに基づいて前記残容量を算出するようにしてあり、前記パック電池が備えるパラメータ返送手段は、前記電気機器から受信したパラメータ読出要求に従い、前記メモリから前記パラメータのうちの一部又は全部のデータを読み出して前記電気機器に送信するようにしてあることを特徴とする。
【００１６】
本発明に係る電池駆動装置は、前記識別情報は、前記パック電池の型式情報、前記二次電池の組成を示す組成情報、及び前記パック電池の製造番号情報を含むことを特徴とする。
【００１７】
本発明に係る電池駆動装置は、前記電気機器は、前記記憶部に記憶したパラメータの一部又は全部のデータを更新する手段と、該手段が更新したデータを、前記メモリに記憶されたパラメータに上書きするパラメータ上書要求を前記パック電池に送信する手段とを備え、前記パック電池は、前記電気機器から受信したパラメータ上書要求に従い、前記メモリに記憶したパラメータに、要求されたデータを上書きする手段を備えることを特徴とする。
【００１８】
本発明に係るパック電池は、二次電池及び該二次電池の残容量を算出するためのパラメータを記憶するメモリを備え、前記二次電池に対して充放電する電気機器と通信可能及び切離し可能に接続されるべきパック電池であって、受信した要求に従い、前記メモリから前記パラメータを読み出して送信する手段を備えることを特徴とする。
【００１９】
本発明に係るパック電池は、自身を識別するための識別情報を前記メモリに記憶してあり、受信した要求に従い、前記メモリから前記識別情報を読み出して送信する手段を備えることを特徴とする。
【００２０】
本発明に係るパック電池は、前記識別情報は、複数の情報を含み、前記パラメータは、複数のデータを含み、前記パラメータ返送手段は、受信したパラメータ読出要求に従い、前記メモリから前記パラメータのうちの一部又は全部のデータを読み出して送信するようにしてあることを特徴とする。
【００２１】
本発明に係るパック電池は、前記識別情報は、前記パック電池の型式情報、前記二次電池の組成を示す組成情報、及び前記パック電池の製造番号情報を含むことを特徴とする。
【００２２】
本発明に係るパック電池は、受信した要求に従い、前記メモリに記憶したパラメータに、要求されたデータを上書きする手段を備えることを特徴とする。
【００２３】
本発明に係る情報処理システムは、上述の電池駆動装置と、該電池駆動装置とネットワークを介して通信可能に接続された情報処理装置とを含む情報処理システムであって、前記電池駆動装置が備える電気機器は、該電気機器が有する記憶部に記憶した識別情報を前記情報処理装置に送信する識別情報送信手段を備え、前記情報処理装置は、前記電池駆動装置が備えるパック電池の識別情報に対応付けて、該パック電池の不具合の有無を示す不具合情報を記憶する不具合情報記憶手段と、前記電気機器から受信した識別情報に対応して前記不具合情報記憶手段に記憶されている不具合情報を前記電気機器に送信する手段とを備え、前記電気機器は、前記情報処理装置から受信した不具合情報を、前記パック電池が有するメモリに上書きする不具合情報上書要求を前記パック電池に送信する手段を備え、前記パック電池は、前記電気機器から受信した不具合情報上書要求に従い、要求された不具合情報を前記メモリに上書きする手段を備えることを特徴とする。
【００２４】
本発明に係る情報処理システムは、前記パック電池は、自身のメモリに、前記二次電池の使用履歴情報を記憶するようにしてあり、前記電気機器は、前記メモリから前記使用履歴情報を読み出す使用履歴情報読出要求を前記パック電池に送信する手段と、前記パック電池から受信した使用履歴情報を前記記憶部に記憶する手段と、前記記憶部に記憶した使用履歴情報を更新する手段と、該手段が更新した使用履歴情報を、前記メモリに記憶する使用履歴情報記憶要求を前記パック電池に送信する手段とを備え、前記パック電池は、前記電気機器から受信した使用履歴情報読出要求に従い、前記メモリから前記使用履歴情報を読み出して前記電気機器に送信する手段と、前記電気機器から受信した使用履歴情報記憶要求に従い、要求された使用履歴情報を前記メモリに記憶する手段とを備え、前記電気機器の識別情報送信手段は、前記記憶部に記憶した識別情報及び使用履歴情報を前記情報処理装置に送信するようにしてあり、前記情報処理装置は、前記パック電池の識別情報に対応付けて前記二次電池の使用履歴情報を記憶する使用履歴情報記憶手段と、前記電気機器から受信した識別情報に対応して前記使用履歴情報記憶手段に記憶されている使用履歴情報を、前記電気機器から受信した使用履歴情報で更新する手段と、該手段が更新した使用履歴情報に基づいて、前記パック電池の不具合の有無を判定する手段と、該手段が不具合有と判定した場合、前記パック電池の不具合情報を前記電気機器に送信する手段とを備えることを特徴とする。
【００２５】
本発明に係る情報処理システムは、前記電気機器は、前記メモリから前記不具合情報を読み出す不具合情報読出要求を前記パック電池に送信する手段と、前記パック電池から受信した不具合情報が不具合有を示すか否かを判定する手段と、該手段が不具合有を示すと判定した場合、所定の表示を行うと共に前記二次電池の充電を抑止する手段とを備え、前記パック電池は、前記電気機器から受信した不具合情報読出要求に従い、前記メモリから前記不具合情報を読み出して前記電気機器に送信する手段を備えることを特徴とする。
【００２６】
本発明にあっては、電気機器は、パック電池と接続されたことを検出して、パック電池のメモリから残容量を算出するためのパラメータを読み出す要求をパック電池に送信し、パック電池からパラメータを受信し、受信したパラメータに基づいて二次電池の残容量を算出する。一方のパック電池は、（電気機器からパラメータを読み出す）要求を受信して、メモリからパラメータを読み出し、読み出したパラメータを（電気機器に）送信する。
これにより、電気機器と接続されたパック電池から読み出されたパラメータに基づいて、二次電池の残容量が算出される。
【００２７】
本発明にあっては、電気機器は、パック電池と接続される都度、パック電池のメモリから識別情報を読み出す要求をパック電池に送信し、パック電池から識別情報を受信し、受信した識別情報が記憶部に記憶されているか否かを判定すると共に、受信した識別情報を新たに記憶部に記憶し、既に記憶部に識別情報が記憶されていた場合は、残容量を算出するためのパラメータを読み出す要求をパック電池に送信しないようにし、記憶したパラメータに基づいて残容量を算出する。一方のパック電池は、（電気機器から識別情報を読み出す）要求を受信して、メモリから識別情報を読み出し、読み出した識別情報を（電気機器に）送信する。
これにより、電気機器と接続されたパック電池が、前回接続されていたパック電池とは異なる場合、又は電気機器とパック電池とが初めて接続された場合、パック電池から受信されたパラメータが、電気機器の記憶部に記憶される。また、電気機器と接続されたパック電池が、前回接続されていたパック電池と同一である場合、記憶部に記憶されているパラメータに基づいて残容量が算出されるため、電気機器及びパック電池間でパラメータの授受に要する時間が削減されて、電気機器が起動する時間が短縮される。
【００２８】
本発明にあっては、電気機器がパック電池から受信した識別情報のうちの一部のデータが記憶部に記憶されているものの、他のデータが記憶されていない場合、電気機器は、パック電池のメモリからパラメータの一部又は全部のデータを読み出す要求をパック電池に送信し、パック電池からデータを受信し、受信したデータを、記憶部に記憶してあるパラメータに上書きし、上書きされたパラメータに基づいて残容量を算出する。一方のパック電池は、（電気機器からパラメータの一部又は全部のデータを読み出す）要求を受信して、メモリからパラメータの一部又は全部のデータを読み出し、読み出したデータを（電気機器に）送信する。
これにより、電気機器と接続されたパック電池の識別情報と、前回接続されていたパック電池の識別情報とで一部の情報のみが一致する場合、一致しない情報が何であるかにより、パラメータの一部又は全部のデータがパック電池から読み出されて、記憶部のパラメータに上書きされるため、電気機器及びパック電池間でパラメータの授受に要する時間が削減されて、電気機器が起動する時間が短縮される。
【００２９】
本発明にあっては、パック電池を識別するための識別情報に、パック電池の型式情報及び二次電池の組成情報と、パック電池の製造番号情報とが含まれている。
これにより、電気機器と接続されたパック電池の識別情報と、前回接続されていたパック電池の識別情報とで、型式情報及び／又は組成情報が一致しない場合、即ち、製造番号情報も一致しない場合、パック電池の種類そのものが前回と異なるため、パラメータのうちの全部のデータがパック電池から読み出される。一方、電気機器と接続されたパック電池の識別情報と、前回接続されていたパック電池の識別情報とで、型式情報及び組成情報が一致して製造番号情報が一致しない場合であっても、パック電池の種類と組成が前回と同一と判定されて、パラメータのうちの一部のデータがパック電池から読み出されるため、電気機器及びパック電池間でパラメータの授受に要する時間が削減されて、電気機器が起動する時間が短縮される。
【００３０】
本発明にあっては、電気機器は、記憶部に記憶したパラメータの一部又は全部のデータを、例えば二次電池の残容量の算出の過程で更新し、更新したデータをパック電池のメモリに記憶されたパラメータに上書きする要求をパック電池に送信する。一方のパック電池は、（電気機器からパラメータを上書きする）要求を受信して、要求された上書きデータを、メモリに記憶したパラメータに上書きする。
これにより、二次電池の使用に伴う劣化に応じて、電気機器及びパック電池に記憶されているパラメータの一部又は全部が更新されるため、パック電池が交換又は脱着された場合であっても、二次電池の残容量の算出に際して二次電池の劣化が適切に反映される。
【００３１】
本発明にあっては、電気機器は、更新したデータをパック電池のメモリに記憶されたパラメータに上書きする要求に、更新したデータの誤り検査コードを付加してパック電池に送信する。一方のパック電池は、（電気機器からパラメータを上書きする）要求を受信し、要求された上書きデータを第２のメモリに一旦記憶し、受信した要求に含まれる誤り検査コードに基づいて、上書きデータの誤りの有無を検査して誤りがない場合にのみ、第２のメモリに一旦記憶した上書きデータを、メモリに記憶したパラメータに上書きする。
これにより、電気機器からパック電池にパラメータの上書き要求が送信される間に、例えばパック電池の脱着等によって誤ったデータがパック電池に受信された場合であっても、パック電池のメモリに記憶されたパラメータのデータ破壊が防止される。
【００３２】
本発明にあっては、電気機器の記憶部に記憶されたパラメータのうち、更新されたデータのサイズよりも、パック電池が有する第２のメモリのサイズの方が大きいことが担保されるようにしてある。
これにより、例えばパラメータの上書き要求が２つ以上の要求に分割されてパック電池に送信された場合であっても、全ての要求が誤りなくパック電池に受信された場合にのみ、パック電池のメモリに記憶されたパラメータが更新される。
【００３３】
本発明にあっては、電池駆動装置における電気機器は、パック電池から受信して記憶部に記憶した識別情報を情報処理装置に送信し、パック電池の不具合の有無を示す不具合情報を情報処理装置から受信し、受信した不具合情報をパック電池のメモリに上書きする要求をパック電池に送信する。
電池駆動装置と通信可能に接続された情報処理装置は、識別情報に対応付けて不具合情報を記憶してあり、パック電池から受信した識別情報に対応する不具合情報を読み出して電気機器に送信する。
一方のパック電池は、電気機器から不具合情報を上書きする要求を受信し、要求された不具合情報をメモリに上書きする。
これにより、情報処理装置とネットワークを介して接続された電池駆動装置が有するパック電池の不具合状況が、情報処理装置にて一元的に管理されると共に、パック電池の不具合の有無がパック電池のメモリに記憶される。そして、例えば、電気機器の表示器に表示することにより、ユーザーに不具合が認識される。
【００３４】
本発明にあっては、電池駆動装置における電気機器は、パック電池から使用履歴情報を読み出す要求をパック電池に送信し、パック電池から受信して記憶した使用履歴情報を、例えば残容量の算出の過程で更新し、更新した使用履歴情報をパック電池のメモリに記憶する要求をパック電池に送信する。電気機器は、また、パック電池から受信して記憶した識別情報と、更新した使用履歴情報とを情報処理装置に送信する。
電池駆動装置と通信可能に接続された情報処理装置は、電気機器から受信した識別情報に対応付けて記憶してある使用履歴情報を、電気機器から受信した使用履歴情報で更新し、更新した使用履歴情報に基づいて、前記パック電池の不具合の有無を判定し、不具合有の場合、パック電池の不具合情報を電気機器に送信する。
一方のパック電池は、電気機器から使用履歴情報を読み出す要求を受信し、メモリから使用履歴情報を読み出し、読み出した使用履歴情報を電気機器に送信する。パック電池は、また、電気機器から使用履歴情報を記憶する要求を受信し、要求された使用履歴情報をメモリに記憶する。
これにより、例えばパック電池における過電流、過電圧及び異常高温等の使用履歴に基づく不具合発生の有無が情報処理装置にて判定され、新たに不具合発生有と判定された場合は、電気機器を介してパック電池に不具合情報が送信されて記憶される。
【００３５】
本発明にあっては、電池駆動装置における電気機器は、パック電池から不具合情報を読み出す要求をパック電池に送信し、パック電池から受信した不具合情報が不具合有を示す場合、所定の表示を行うと共に、パック電池の二次電池の充電を抑止する。
一方のパック電池は、電気機器から不具合情報を読み出す要求を受信し、メモリから不具合情報を読み出し、読み出した不具合情報を電気機器に送信する。
これにより、例えば、不具合が発生したパック電池の交換を促すメッセージが電気機器に表示されると共に、パック電池の充電が抑止される。
【発明の効果】
【００３６】
本発明によれば、電気機器と接続されたパック電池から読み出されたパラメータに基づいて、二次電池の残容量が算出される。
従って、残容量を算出するためのパラメータが異なる二次電池を有するパック電池に差し替えられた場合であっても、残容量の誤差を低減して算出することが可能となる。
【図面の簡単な説明】
【００３７】
【図１】本発明の実施の形態１に係る携帯情報端末の構成例を示すブロック図である。
【図２】ＨＤＱ通信のコマンド及びデータの構成を示す説明図である。
【図３】ＥＥＰＲＯＭに対するメモリアクセス方法を示す説明図である。
【図４】二次電池の残容量比及び電池温度に対する内部抵抗の依存性を例示する特性図である。
【図５】二次電池の開放端子電圧と残容量比との関係を例示する特性図である。
【図６】本発明の実施の形態１に係る携帯情報端末におけるパック電池装着時のＣＰＵ及び通信部の処理手順を示すフローチャートである。
【図７】本発明の実施の形態１に係る携帯情報端末におけるパック電池装着時のＣＰＵ及び通信部の処理手順を示すフローチャートである。
【図８】二次電池のＯＣＶを測定して初期化完了を本体部に通知するＣＰＵの処理手順を示すフローチャートである。
【図９】本発明の実施の形態２に係る携帯情報端末におけるパック電池装着時のＣＰＵ及び通信部の処理手順を示すフローチャートの一部である。
【図１０】本発明の実施の形態３に係る携帯情報端末における二次電池の残容量算出時のＣＰＵ及び通信部の処理手順を示すフローチャートである。
【図１１】本発明の実施の形態４に係る情報処理システムの構成を模式的に示す説明図である。
【図１２】不具合情報データベースの内容を例示する説明図である。
【図１３】本発明の実施の形態４に係る情報処理システムにおける情報処理装置、端末本体及びパック電池の処理手順を示すフローチャートである。
【図１４】本発明の実施の形態５に係る情報処理システムにおける情報処理装置、端末本体及びパック電池の処理手順を示すフローチャートである。
【図１５】本発明の実施の形態６に係る情報処理システムにおける端末本体及びパック電池の処理手順を示すフローチャートである。
【発明を実施するための形態】
【００３８】
以下、本発明をその実施の形態を示す図面に基づいて詳述する。
（実施の形態１）
図１は、本発明の実施の形態１に係る携帯情報端末の構成例を示すブロック図である。図中１００は携帯情報端末（電池駆動装置）であり、携帯情報端末１００は、端末本体１０２と、該端末本体１０２に着脱可能に装着されるパック電池１０１とからなる。
【００３９】
パック電池１０１は、例えばリチウムイオン電池からなる二次電池１と、ＴＩ（Texas Instruments ）社が提唱するＨＤＱ通信機能を有するメモリＩＣ２とを備える。ＨＤＱは１線式のシリアル通信インタフェースであるが、ＵＡＲＴ（Universal Asynchronous Receiver Transmitter ）等による他の通信インタフェースを用いてもよい。二次電池１の正極端子はプラス（＋）端子１１に接続されており、負極端子は放電用のＭＯＳＦＥＴ４１のソース電極に接続されている。ＭＯＳＦＥＴ４１のドレイン電極は、充電用のＭＯＳＦＥＴ４２のドレイン電極及びソース電極を介してマイナス（−）端子１２に接続されている。二次電池１の正極端子及び負極端子間には、該二次電池１が過電圧状態となったときにＭＯＳＦＥＴ４１，４２のゲート電極に対してＬ（ロウ）レベルのオフ信号を与える保護ＩＣ３が接続されている。
【００４０】
メモリＩＣ２は、４ｋビット（５１２バイト）の容量を有するＥＥＰＲＯＭ（Electrically Erasable Programmable ROM ）２２と、該ＥＥＰＲＯＭ２２に対して読み書きするデータを、ＨＤＱ通信によって端末本体１０２との間で授受する通信部２１とを有する。通信部２１は、通信端子２０を介して端末本体１０２と接続される。
【００４１】
端末本体１０２は、パック電池１０１が装着された場合に、該パック電池１０１のプラス端子１１，マイナス端子１２及び通信端子２０の夫々と接続されるプラス端子６１、マイナス端子６２及び通信端子５０を備える。端末本体１０２は、また、二次電池１の残容量を算出するＦＧＩＣ（Fuel Gauge Integrated Circuit ）５、及び該ＦＧＩＣ５と通信可能に接続されたマイコンを有する本体部６とを備える。プラス端子６１及びマイナス端子６２間には、電流検出抵抗７を介して電源部８が接続されており、該電源部８が供給する電源電圧（ＶＳＳに対するＶＣＣ）がＦＧＩＣ５及び本体部６に与えられる。本体部６は、例えば携帯電話としての機能を実現する本体であり、図示しない操作部及び表示部と、アンテナを含む無線部とを有する。
【００４２】
ＦＧＩＣ５は、ＣＰＵ５１を有し、ＣＰＵ５１は、プログラム等の情報を記憶するＲＯＭ５２、一時的に発生した情報を記憶するＲＡＭ５３、各種時間を計時するタイマ５４、及び通信端子５０を介して通信部２１との間でＨＤＱ通信を行う通信部５５と互いにバス接続されている。ＣＰＵ５１には、また、プラス端子６１を介して二次電池１の電圧を検出する電圧検出部５６と、電流検出抵抗７に生じる電圧降下によって二次電池１の充放電電流を検出する電流検出部５７と、本体部６との間で２線式（ＳＤＡ及びＳＣＬ）のシリアル通信インタフェースによる通信を行う本体部Ｉ／Ｆ５８とがバス接続されている。本体部Ｉ／Ｆ５８から本体部６に対しては、割り込み信号（ＩＮＴ）が与えられる。
【００４３】
次に、ＨＤＱ通信について説明する。ＦＧＩＣ５及びメモリＩＣ２間では、通信部５５，２１の夫々がＨＤＱ通信のホスト及びスレーブとなり、ホストからスレーブに対してコマンドが送信される。
図２は、ＨＤＱ通信のコマンド及びデータの構成を示す説明図である。通信部５５，２１間を接続する通信線上では、コマンド及びデータが下位ビット（ＬＳＢ）から先に伝送される。ＨＤＱ通信が行われていないときは、図示しない抵抗器によって通信線がプルアップされてＨ（ハイ）レベルとなっている。ＨＤＱ通信では、コマンド中の下位６ビットのデータによって指定されるスレーブのレジスタ又はメモリに対して、書き込み及び読み出しが行われる。
【００４４】
ホストがコマンドの送信を開始する場合、最初に通信線を一定時間Ｌ（ロウ）レベルに保持してブレーク信号とし、これに続けて６ビットのアドレスを送信し、最上位（ＭＳＢ）のＲ／Ｗビットを最後に送信する。このＲ／Ｗビットが１（Ｈレベル）の場合は、後続する８ビットの書き込みデータがホストからスレーブに対して送信される。また、Ｒ／Ｗビットが０（Ｌレベル）の場合は、Ｒ／Ｗビットの送信タイミングに続く所定のタイミングで８ビットの読み出しデータがスレーブからホストに対して送信され、ホストにて受信される。ホストからスレーブに対して送信される６ビットのアドレスは、上述したスレーブのレジスタ又はメモリを指定するものである。
【００４５】
次に、メモリＩＣ２のＥＥＰＲＯＭ２２に対するデータの書き込み及び読み出し方法について説明する。
図３は、ＥＥＰＲＯＭ２２に対するメモリアクセス方法を示す説明図である。ＥＥＰＲＯＭ２２の記憶領域は、８ページに分割されており、各ページ内の記憶アドレスが、８通りの行番号と８通りの列番号とによって指定されるようになっている。アクセス対象のページは、通信部２１内のページレジスタ２１１によって指定され、ページレジスタ２１１に保持されるページ番号は、メモリアクセス前にホストからコマンドを用いて書き込まれる。但し、以下では、メモリアクセス前のページレジスタ２１１への書き込みを省略して説明する。各ページ内の記憶アドレスは、コマンドの下位６ビットのアドレス（２の６乗＝８×８）によって指定される。
【００４６】
コマンドによって指定された記憶アドレスに対するデータの書き込み及び読み出しは、８バイトのバッファ２１２を介して行われる。バッファ２１２は、８通りの行番号に対応してバッファ（０）〜バッファ（７）（図ではＢＦ０〜ＢＦ７）に８分割されている。例えば、ＥＥＰＲＯＭ２２に対して１バイトの単一データが書き込み及び読み出しされる場合、コマンドの下位６ビットのアドレスのうちの上位３ビットで指定される行番号が先に保持される。その後、保持された行番号で指定される記憶アドレスのデータ（８バイト）が、一度にバッファ２１２にプリフェッチ（事前読み込み）され、書き込み及び読み出し対象のデータが、コマンドの下位６ビットのアドレスのうちの下位３ビットで指定されるバッファに対して書き込み及び読み出しされる。
【００４７】
２バイトから８バイトまでの連続したデータの書き込み及び読み出しに際しては、１バイト目のデータの書き込み及び読み出し時にプリフェッチされたバッファ２１２内のデータに対して書き込み及び読み出しが行われる。特に、ＥＥＰＲＯＭ２２に対して書き込みが行われる場合、１バイトの単一データ、及び２バイトから８バイトまでの連続したデータの書き込み終了後に、ホストから誤り検出コードとしてＣＲＣ（Cyclic Redundancy Check ）コードが送信される。スレーブの通信部２１は、受信したＣＲＣコードと、バッファ２１２へのデータ書き込み毎に演算したＣＲＣコードとを比較し、一致した場合にのみ、バッファ２１２全体の内容を、保持されていた行番号で指定される８バイト分の記憶アドレスに対して書き込む。これにより、ＥＥＰＲＯＭ２２に連続した８バイトまでのデータが書き込まれる場合、全てのデータが通信部２１まで誤り無く送信されたときにのみ、実際の書き込みが行われるため、連続するデータの一部又は全部が書き込み誤りとなったり、一部が書き込み漏れとなったりすることが防止される。
【００４８】
以下では、ＥＥＰＲＯＭ２２に書き込まれるデータについて説明する。パック電池１０１及び二次電池１に関する情報としてＥＥＰＲＯＭ２２に保存されるデータには、以下のようなものがある。
（ａ）パック電池１０１の識別情報、即ち、パック電池１０１の型式（ＩＤ）情報、二次電池１の組成を示す組成情報、及びパック電池１０１の製造番号情報（以下、製番情報という）
（ｂ）二次電池１の残容量算出用パラメータ（テーブル値）であって、二次電池１の残容量比に対する内部抵抗を示すパラメータのうち、二次電池１の劣化によって変動するもの（以下、内抵テーブル１という）
（ｃ）二次電池１の残容量算出用パラメータ（テーブル値）であって、二次電池１の残容量比に対する内部抵抗を示すパラメータのうち、個々の二次電池１の温度によって変動するもの（以下、内抵テーブル２という）
（ｄ）二次電池１の残容量算出用パラメータ（テーブル値）であって、二次電池１の残容量比に対する開放端子電圧を示すもの（以下、ＯＣＶテーブルという）
（ｅ）パック電池１０１の不具合内容を示す情報（以下、不具合情報という）
（ｆ）二次電池１の使用履歴に係る情報（以下、使用履歴情報という）として、例えば、二次電池１で発生した過電流及び過電圧の情報、並びに、二次電池１の温度（高温）情報
（ｇ）その他の情報として、充放電サイクル数
【００４９】
上述した情報のうち、内抵テーブル１、内抵テーブル２及びＯＣＶテーブルに関連する二次電池１の特性について説明する。
図４は、二次電池１の残容量比及び電池温度に対する内部抵抗の依存性を例示する特性図であり、図５は、二次電池１の開放端子電圧と残容量比との関係を例示する特性図である。各図の横軸は残容量比（即ちＲＳＯＣ）（％）を表し、図４及び図５の縦軸は、夫々内部抵抗（Ω）及び開放端子電圧（即ちＯＣＶ）（Ｖ）を表す。
【００５０】
図４において、二次電池１の内部抵抗は、残容量比が小さい領域で極大値を有しており、残容量比が約１０％から１００％に上昇するに連れて、大小に変動しながらやや右上がりに増大する。また、内部抵抗は、常温より高温時に低下する傾向があるのと、図示は省略するが、充放電サイクル数を重ねて劣化が進むに連れて増大する傾向がある。
一方、図５に示されている残容量比に対する開放端子電圧の特性については、二次電池１の劣化度に殆ど影響されることがない。
【００５１】
次に、上述した各情報がパック電池１０１のＥＥＰＲＯＭ２２から読み出されるタイミングを中心に説明する。
（ａ）の識別情報は、パック電池１０１が端末本体１０２に装着される都度、端末本体１０２のＦＧＩＣ５からの要求（コマンド）によってパック電池１０１から読み出される。ＦＧＩＣ５は、前回装着されていたパック電池１０１から受信した識別情報と、新たに装着されたパック電池１０１から受信した識別情報とを比較し、これら全ての識別情報が一致した場合は、前回と同一のパック電池１０１が装着されたと判定する。
【００５２】
（ｂ）の内抵テーブル１は、識別情報と同様に、パック電池１０１が端末本体１０２に装着される都度、ＦＧＩＣ５からの要求（コマンド）によってパック電池１０１から読み出される。これは、識別情報によって前回と同一のパック電池１０１が装着されたと判定される場合であっても、パック電池１０１が端末本体１０２から離脱していた間に他の電気機器で使用されていた場合は、その間に二次電池１の劣化が進行しているためである。
【００５３】
（ｃ）の内抵テーブル２は、二次電池１の劣化によっては変動しないパラメータであるが、個々の二次電池１によって変動するパラメータであるため、パック電池１０１が端末本体１０２に装着されたときに読み出された識別情報のうち、製番情報が一致しない限り、ＦＧＩＣ５からの要求によってパック電池１０１から読み出される。
尚、内抵テーブル２のパラメータを用いて二次電池１の内部抵抗を算出する際に必要となる二次電池１の温度情報は、ＦＧＩＣ５からのコマンドにより、メモリＩＣ２に内蔵される温度測定回路（図示せず）の出力信号からＡＤ変換された温度情報が書き込まれている通信部２１内のレジスタから読み出される。
【００５４】
（ｄ）のＯＣＶテーブルは、二次電池１の組成が同一である限り、二次電池１の劣化及び温度によっては変動しないパラメータであるため、パック電池１０１が端末本体１０２に装着されたときに読み出された識別情報のうち、型式情報及び組成情報が一致した場合は、製番情報が異なる場合であっても、ＦＧＩＣ５からのコマンドによる読み出しが省略される。具体的には、同一型式で同一組成の予備バッテリが新たに装着された場合が当てはまる。
【００５５】
（ｅ）の不具合情報、及び（ｆ）の使用履歴情報は、共にＦＧＩＣ５から書き込み及び読み出しされる情報であるが、本実施の形態１では用いない。
【００５６】
（ｇ）の充放電サイクル数は、ＦＧＩＣ５からのコマンドにより適宜読み出されてＲＡＭ５３に記憶され、二次電池１からの放電容量の累積積算値が二次電池１の初期容量又は設計容量に達する毎に、ＲＡＭ５３の記憶内容が１サイクルだけカウントアップされて、ＥＥＰＲＯＭ２２に書き戻される。本携帯情報端末１００が、充電器としての機能を備えている場合は、充電容量の累積積算値が初期容量又は設計容量を超える毎に１サイクルだけカウントアップされるようにしてもよい。
【００５７】
以下では、上述した端末本体１０２及びパック電池１０１の動作を、それを示すフローチャートを用いて説明する。以下に示す処理は、端末本体１０２側についてはＦＧＩＣ５のＲＯＭ５２に予め格納された制御プログラムに従ってＣＰＵ５１により実行され、パック電池１０１側については、通信部２１が備える図示しないＣＰＵによって実行される。これにより、マスタの通信部５５及びスレーブの通信部２１間でＨＤＱ通信が行われる。
【００５８】
図６及び図７は、本発明の実施の形態１に係る携帯情報端末１００におけるパック電池１０１装着時のＣＰＵ５１及び通信部２１の処理手順を示すフローチャートである。図６，７の処理のうち、端末本体１０２側の処理は、パック電池１０１が端末本体１０２から離脱したときに起動され、パック電池１０１側の処理は、メモリＩＣ２に最初に通電されたときから起動されている。なお、フローチャート中では、各種要求の送信を単に「要求」と表示して、「〜の送信」の記載を省略してある。
【００５９】
端末本体１０２側で図６の処理が起動された場合、ＣＰＵ５１は、パック電池１０１が装着されたか否かを判定し（Ｓ１０）、装着されるまで待機する（Ｓ１０：ＮＯ）。ＣＰＵ５１は、電圧検出部５６を用いてプラス端子６１及びマイナス端子６２間に二次電池１の電圧が印加されたことを検出したときにパック電池１０１が装着されたと判定し、パック電池１０１との接続を検出する。この判定方法としては、後述する型式情報の読み出しをパック電池１０１に要求し続ける間に、型式情報をパック電池１０１から受信したときに、パック電池１０１が装着されたと判定するようにしてもよい。
【００６０】
パック電池１０１が装着されたと判定した場合（Ｓ１０：ＹＥＳ）、ＣＰＵ５１は、パック電池１０１の識別情報の１つである型式情報の読出要求を、通信部５５を介して通信部２１に送信する（Ｓ１１）。本実施の形態１では、型式情報の読出要求は、型式情報が記憶されているＥＥＰＲＯＭ２２の記憶領域のアドレスを指定するＨＤＱ通信のコマンドである（以下、他の読出要求についても同様）。
【００６１】
一方の通信部２１は、各種読出要求を受信したか否かを判定して（Ｓ１００）受信するまで待機しており（Ｓ１００：ＮＯ）、読出要求を受信した場合（Ｓ１００：ＹＥＳ）、受信した要求が型式情報の読出要求であるか否かを判定する（Ｓ１０１）。受信した読出要求が型式情報の読出要求であるか否かを判定して、後述するように型式情報を読み出す処理は、例えば、上述したページレジスタ２１１とＨＤＱ通信のコマンドとによってアドレスが指定されるＥＥＰＲＯＭ２２の記憶領域からデータを読み出すことで足りる（以下、他の読出要求についても同様）。
【００６２】
受信した要求が型式情報の読出要求である場合（Ｓ１０１：ＹＥＳ）、通信部２１は、パック電池１０１の型式情報をＥＥＰＲＯＭ２２から読み出し（Ｓ１０２）、読み出した型式情報を通信部５５に送信した（Ｓ１０３）後、次の読出要求の受信を待ち受けるために、ステップＳ１００に処理を移す。
尚、読出要求の送信、及び読み出された情報の受信が、夫々図２に示す１つのコマンドで完結しない場合は、複数のコマンドを用いるようにすればよい（以下、上書要求及び記憶要求についても同様）。
【００６３】
以下同様にして、通信部２１は、通信部５５から要求された読出要求に応動し、指定された情報をＥＥＰＲＯＭ２２から読み出して通信部５５に返送する（以下、場合分けして詳細に説明する）。
【００６４】
他方のＣＰＵ５１は、通信部５５を用いて型式情報を受信し（Ｓ１２）、受信した型式情報をＲＡＭ５３に記憶する（Ｓ１３）。その後、ＣＰＵ５１は、パック電池１０１の識別情報の１つである二次電池１の組成情報の読出要求を、通信部５５を介して通信部２１に送信する（Ｓ１４）。
【００６５】
一方の通信部２１は、受信した要求が型式情報の読出要求ではない場合（Ｓ１０１：ＮＯ）、受信した要求が組成情報の読出要求であるか否かを判定する（Ｓ１０４）。組成情報の読出要求である場合（Ｓ１０４：ＹＥＳ）、通信部２１は、二次電池１の組成情報をＥＥＰＲＯＭ２２から読み出し（Ｓ１０５）、読み出した組成情報を通信部５５に送信した（Ｓ１０６）後、次の読出要求の受信を待ち受けるために、ステップＳ１００に処理を移す。
【００６６】
他方のＣＰＵ５１は、通信部５５を用いて組成情報を受信し（Ｓ１５）、受信した組成情報をＲＡＭ５３に記憶する（Ｓ１６）。その後、ＣＰＵ５１は、パック電池１０１の識別情報の１つである二次電池１の製番情報の読出要求を、通信部５５を介して通信部２１に送信する（Ｓ１７）。
【００６７】
一方の通信部２１は、受信した要求が組成情報の読出要求ではない場合（Ｓ１０４：ＮＯ）、受信した要求が製番情報の読出要求であるか否かを判定する（Ｓ１０７）。製番情報の読出要求である場合（Ｓ１０７：ＹＥＳ）、通信部２１は、二次電池１の製番情報をＥＥＰＲＯＭ２２から読み出し（Ｓ１０８）、読み出した製番情報を通信部５５に送信した（Ｓ１０９）後、次の読出要求の受信を待ち受けるために、ステップＳ１００に処理を移す。
【００６８】
他方のＣＰＵ５１は、通信部５５を用いて製番情報を受信し（Ｓ１８）、受信した製番情報をＲＡＭ５３に記憶する（Ｓ１９）。
次に図７に移って、ＣＰＵ５１は、二次電池１の残容量算出用パラメータの１つである内抵テーブル１の読出要求を、通信部５５を介して通信部２１に送信する（Ｓ２１）。
【００６９】
一方の通信部２１は、受信した要求が製番情報の読出要求ではない場合（Ｓ１０７：ＮＯ）、図７に移って、受信した要求が内抵テーブル１の読出要求であるか否かを判定する（Ｓ１１０）。内抵テーブル１の読出要求である場合（Ｓ１１０：ＹＥＳ）、通信部２１は、二次電池１の内抵テーブル１をＥＥＰＲＯＭ２２から読み出し（Ｓ１１１）、読み出した内抵テーブル１を通信部５５に送信した（Ｓ１１２）後、次の読出要求の受信を待ち受けるために、ステップＳ１００に処理を移す。
【００７０】
他方のＣＰＵ５１は、通信部５５を用いて内抵テーブル１を受信し（Ｓ２２）、受信した内抵テーブル１をＲＡＭ５３に記憶する（Ｓ２３）。ここでの記憶は、常に上書きである（その他のテーブルについても、以下同様）。その後、ＣＰＵ５１は、二次電池１の残容量算出用パラメータの１つである内抵テーブル２の読出要求を、通信部５５を介して通信部２１に送信する（Ｓ２４）。
【００７１】
一方の通信部２１は、受信した要求が内抵テーブル１の読出要求ではない場合（Ｓ１１０：ＮＯ）、受信した要求が内抵テーブル２の読出要求であるか否かを判定する（Ｓ１１３）。内抵テーブル２の読出要求である場合（Ｓ１１３：ＹＥＳ）、通信部２１は、二次電池１の内抵テーブル２をＥＥＰＲＯＭ２２から読み出し（Ｓ１１４）、読み出した内抵テーブル２を通信部５５に送信した（Ｓ１１５）後、次の読出要求の受信を待ち受けるために、ステップＳ１００に処理を移す。
【００７２】
他方のＣＰＵ５１は、通信部５５を用いて内抵テーブル２を受信し（Ｓ２５）、受信した内抵テーブル２をＲＡＭ５３に記憶する（Ｓ２６）。その後、ＣＰＵ５１は、二次電池１の残容量算出用パラメータの１つであるＯＣＶテーブルの読出要求を、通信部５５を介して通信部２１に送信する（Ｓ２７）。
【００７３】
一方の通信部２１は、受信した要求が内抵テーブル２の読出要求ではない場合（Ｓ１１３：ＮＯ）、受信した要求がＯＣＶテーブルの読出要求であるか否かを判定する（Ｓ１１６）。ＯＣＶテーブルの読出要求ではない場合（Ｓ１１６：ＮＯ）、通信部２１は、ステップＳ１００に処理を移す。受信した要求がＯＣＶテーブルの読出要求である場合（Ｓ１１６：ＹＥＳ）、通信部２１は、二次電池１のＯＣＶテーブルをＥＥＰＲＯＭ２２から読み出し（Ｓ１１７）、読み出したＯＣＶテーブルを通信部５５に送信した（Ｓ１１８）後、次の読出要求の受信を待ち受けるために、ステップＳ１００に処理を移す。
【００７４】
他方のＣＰＵ５１は、通信部５５を用いてＯＣＶテーブルを受信し（Ｓ２８）、受信したＯＣＶテーブルＢをＲＡＭ５３に記憶した（Ｓ２９）後に、図６及び図７の処理を終了する。
【００７５】
次に、端末本体１０２のＦＧＩＣ５が行う初期化処理について説明する。
図８は、二次電池１のＯＣＶを測定して初期化完了を本体部６に通知するＣＰＵ５１の処理手順を示すフローチャートである。図８の処理は、パック電池１０１の装着が検出されたときに起動される。
【００７６】
図８の処理が起動された場合、ＣＰＵ５１は、本体部Ｉ／Ｆ５８を介して本体部６からコマンドを受信したか否かを判定し（Ｓ３１）、受信するまで待機する（Ｓ３１：ＮＯ）。コマンドを受信した場合（Ｓ３１：ＹＥＳ）、ＣＰＵ５１は、受信したコマンドがＯＣＶ測定コマンドであるか否かを判定し（Ｓ３２）、ＯＣＶ測定コマンドではない場合（Ｓ３２：ＮＯ）、その他のコマンド受信処理を行った（Ｓ３３）後に、処理をステップＳ３１に戻す。
【００７７】
受信したコマンドがＯＣＶ測定コマンドの場合（Ｓ３２：ＹＥＳ）、ＣＰＵ５１は、電圧検出部５６を用いて二次電池１のＯＣＶを測定する（Ｓ３４）。この場合、ＯＣＶを正確に測定するために、端末本体１０２全体の消費電流を可能な限り低減させることが好ましい。次いで、ＣＰＵ５１は、本体部６に対してＩＮＴ線を用いて測定完了割込を発生させた（Ｓ３５）後に、図６，７の処理で受信されるＯＣＶテーブルの受信が完了したか否かを判定し（Ｓ３６）、完了するまで待機する（Ｓ３６：ＮＯ）。
【００７８】
ＯＣＶテーブルの受信が完了した場合（Ｓ３６：ＹＥＳ）、ＣＰＵ５１は、本体部６に対してＩＮＴ線を用いて初期化完了割込を発生させた（Ｓ３７）後に、図８の処理を終了する。初期化完了割込により、ＦＧＩＣ５における全ての初期化処理が完了したことが、本体部６に対して通知される。
【００７９】
図６，７の処理によって、二次電池１の残容量算出パラメータをＲＡＭ５３に記憶し、図８に示す初期化処理を終えたＦＧＩＣ５のＣＰＵ５１は、初期化処理で測定した二次電池１のＯＣＶを、ＲＡＭ５３に記憶したＯＣＶテーブルに適用して二次電池１の残容量比（ＲＳＯＣ）を算出する。その後、ＣＰＵ５１は、電流検出部５７を用いて検出した二次電池１の充放電電流を時系列的に積算して残容量比を更新し続け、測定完了割込が通知された本体部６からのコマンドに応動して、残容量のデータを本体部６に送信する。
【００８０】
以上のように本実施の形態１によれば、端末本体（のＦＧＩＣのＣＰＵ）は、パック電池が装着されたことを検出して、パック電池のＥＥＰＲＯＭ（メモリ）から二次電池の残容量算出用のテーブル（パラメータ）を読み出す要求を、パック電池の通信部に送信し、パック電池の通信部からテーブルを受信し、受信したテーブルに基づいて二次電池の残容量を算出する。より具体的な残容量の算出方法としては、二次電池１の電池電圧及び充放電電流をＦＧＩＣ５内で検出し、検出した充放電電流の絶対値と内部抵抗を掛け算した値を、充電時には電池電圧に加算し、放電時には電池電圧から減算して、開放端子電圧（ＯＣＶ）を算出し、算出したＯＣＶをＯＣＶテーブルに適用して残容量比を算出する。
一方のパック電池の通信部は、端末本体のＦＧＩＣの通信部から残容量算出用のテーブルを読み出す要求を受信して、ＥＥＰＲＯＭからテーブルを読み出し、読み出したテーブルをＦＧＩＣの通信部に送信する。
これにより、端末本体と接続されたパック電池から読み出されたテーブルに基づいて、二次電池の残容量が算出される。
従って、残容量を算出するためのパラメータが異なる二次電池を有するパック電池に差し替えられた場合であっても、残容量の誤差を低減して算出することが可能となる。
【００８１】
（実施の形態２）
実施の形態１が、パック電池１０１の装着を検出する都度、パック電池１０１から全ての残容量算出用パラメータを読み出す形態であるのに対し、実施の形態２は、パック電池１０１の装着を検出する都度、パック電池１０１から新たに受信した識別情報と記憶している識別情報とが一致するか否かに応じて、パック電池１０１の残容量算出用のパラメータの一部又は全部を読み出す形態である。
【００８２】
図９は、本発明の実施の形態２に係る携帯情報端末１００におけるパック電池１０１装着時のＣＰＵ５１及び通信部２１の処理手順を示すフローチャートの一部である。パック電池１０１側の処理については、実施の形態１の図６，７の処理と同一であり、端末本体１０２側の処理については、図６に示すステップＳ１９までの処理が共通であるので、同一又は共通の処理を図示せずに省略してある。
【００８３】
尚、図６のステップＳ１３，１６，１９に対応する処理では、型式情報、組成情報及び製番情報の各識別情報を記憶するためのＲＡＭ５３の領域を、今回受信した各識別情報用及び前回受信した各識別情報用に２面分準備しておき、新たにパック電池１０１の装着を検出する都度、前記２面を切り替えるものとする。但し、後述する処理において、今回及び前回受信した各識別情報の一致判定を行った後に、夫々の識別情報を上書きして記憶する場合は、各識別情報のための記憶領域が１面分で足りる。
【００８４】
図９の処理に先立つステップＳ１９の処理を終えた場合、ＣＰＵ５１は、ステップＳ１３，１６で今回記憶した型式情報及び組成情報と、前回受信した夫々の情報とを比較し（Ｓ４１）、型式情報及び組成情報の何れの情報も一致するか否かを判定する（Ｓ４２）。少なくとも一方の情報が一致しない場合（Ｓ４２：ＮＯ）、ＣＰＵ５１は、図７に示すステップＳ２１に処理を移す。何れの情報も一致する場合（Ｓ４２：ＹＥＳ）、ＣＰＵ５１は、今回ステップＳ１９で新たに記億した製番情報と、前回ステップＳ１９で記憶した製番情報とを比較する（Ｓ４３）。
【００８５】
今回及び前回の製番情報が一致する場合（Ｓ４４：ＹＥＳ）、ＣＰＵ５１は、内抵テーブル１の読出要求を、通信部５５を介して通信部２１に送信する（Ｓ４６）。図９のステップＳ４７及びＳ４８で内抵テーブル１を受信及び記憶する処理は、送受信の相手先も含めて、実施の形態１の図６のステップＳ２２及びＳ２３に示す処理と同様であるので、説明を省略する。その後、ＣＰＵ５１は、内抵テーブル２及びＯＣＶテーブル夫々の読出要求を通信部２１に送信することなく、図９の処理を終了する。
【００８６】
ステップＳ４４で今回及び前回の製番情報が一致しない場合（Ｓ４４：ＮＯ）、ＣＰＵ５１は、内抵テーブル１の読出要求を、通信部５５を介して通信部２１に送信する（Ｓ５１）。図９のステップＳ５２からＳ５６で、内抵テーブル１を受信してから内抵テーブル２を記憶するまでの処理は、送受信の相手先も含めて、実施の形態１の図７のステップＳ２２からＳ２６に示す処理と同様であるので、説明を省略する。その後、ＣＰＵ５１は、ＯＣＶテーブルの読出要求を通信部２１に送信することなく、図９の処理を終了する。
【００８７】
その他、実施の形態１に対応する箇所には同様の符号を付して、その詳細な説明を省略する。
【００８８】
以上のように本実施の形態２によれば、端末本体（のＦＧＩＣのＣＰＵ）は、パック電池と接続される都度、パック電池のＥＥＰＲＯＭから識別情報を読み出す要求をパック電池の通信部に送信し、パック電池の通信部から識別情報を受信し、受信した識別情報をＲＡＭ（記憶部）に記憶すると共に、受信した識別情報がＲＡＭに記憶されているか否かを判定し、既にＲＡＭに全ての識別情報が記憶されていた場合は、残容量算出用のテーブル（パラメータ）のうち、二次電池の劣化に依存しない内抵テーブル２及びＯＣＶテーブルを読み出す要求をパック電池の通信部に送信しないようにし、その都度受信して記憶する内抵テーブル１と、記憶した内抵テーブル２及びＯＣＶテーブルとに基づいて残容量を算出する。一方のパック電池の通信部は、（端末本体から識別情報を読み出す）要求を受信して、ＥＥＰＲＯＭから識別情報を読み出し、読み出した識別情報を（端末本体に）送信する。
これにより、端末本体と接続されたパック電池が、前回接続されていたパック電池とは異なる場合、又は端末本体とパック電池とが初めて接続された場合、パック電池の通信部から受信されたパラメータ（内抵テーブル１，２及びＯＣＶテーブル）が、端末本体のＲＡＭに記憶される。また、端末本体と接続されたパック電池が、前回接続されていたパック電池と同一である場合、その都度受信及び記憶されるパラメータ（内抵テーブル１）とＲＡＭに記憶されているパラメータ（内抵テーブル２及びＯＣＶテーブル）とに基づいて残容量が算出される。
従って、電気機器（端末本体）及びパック電池間でパラメータの授受に要する時間を削減して、端末本体が起動する時間を短縮することが可能となる。
【００８９】
また、端末本体（のＦＧＩＣのＣＰＵ）がパック電池の通信部から受信した識別情報のうちの一部の情報がＲＡＭに記憶されているものの、他の情報が記憶されていない場合、端末本体は、パック電池のＥＥＰＲＯＭから残容量算出用のパラメータ（二次電池の劣化に依存しない複数テーブル）の一部又は全部のテーブルを読み出す要求をパック電池の通信部に送信し、パック電池の通信部からテーブルを受信し、受信したテーブルを、ＲＡＭに記憶してあるテーブルに上書きし、その都度受信されるテーブル及びＲＡＭに上書きされたテーブルに基づいて残容量を算出する。一方のパック電池の通信部は、（端末本体から複数テーブルの一部又は全部のテーブルを読み出す）要求を受信して、ＥＥＰＲＯＭから複数テーブルの一部又は全部のテーブルを読み出し、読み出したテーブルを（端末本体に）送信する。
これにより、端末本体と接続されたパック電池の識別情報と、前回接続されていたパック電池の識別情報とで一部の情報のみが一致する場合、一致しない情報が何であるかにより、二次電池の劣化に依存しないパラメータの一部又は全部のデータがパック電池から読み出されて、ＲＡＭに記憶したパラメータに上書きされる。
従って、電気機器（端末本体）及びパック電池間でパラメータの授受に要する時間を削減して、端末本体が起動する時間を短縮することが可能となる。
【００９０】
更にまた、パック電池を識別するための識別情報に、パック電池の型式情報及び二次電池の組成情報と、パック電池の製番情報とが含まれている。
これにより、端末本体と接続されたパック電池の識別情報と、前回接続されていたパック電池の識別情報とで、型式情報及び／又は組成情報が一致しない場合、即ち、製造番号情報も一致しない場合、パック電池の種類そのものが前回と異なるため、パラメータ（二次電池の劣化に依存しない２つのテーブル）のうちの全部のデータ（内抵テーブル２及びＯＣＶテーブル）がパック電池から読み出される。一方、端末本体と接続されたパック電池の識別情報と、前回接続されていたパック電池の識別情報とで、型式情報及び組成情報が一致して製番情報が一致しない場合であっても、パック電池の種類と組成が前回と同一と判定されるため、パラメータ（二次電池の劣化に依存しない２つのテーブル）のうちの一部のデータ（内抵テーブル２）がパック電池から読み出される。
従って、電気機器（端末本体）及びパック電池間でパラメータの授受に要する時間を削減して、端末本体が起動する時間を短縮することが可能となる。
【００９１】
尚、本実施の形態２にあっては、端末本体１０２に装着されたパック電池１０１が、前回装着されていたパック電池１０１と同一である場合、二次電池１の劣化に依存しない内抵テーブル２及びＯＣＶテーブルを読み出す要求をパック電池１０１に送信しないようにしたが、内抵テーブル１も二次電池１の劣化に依存しない場合は、残容量算出用の全てのテーブルを読み出す要求をパック電池１０１に送信しないようにすればよい。
【００９２】
（実施の形態３）
実施の形態１及び２が、内抵テーブル１を特に更新しない形態であるのに対し、実施の形態３は、二次電池１の充放電サイクルをカウントアップする都度、内抵テーブル１を更新して、パック電池１０１のＥＥＰＲＯＭ２２に上書きする形態である。また、本実施の形態では、図２に示す複数（ここでは８以下）のコマンドを用いて内抵テーブル１の上書要求を行う。このため、上書要求のコマンドには、上書きされるべきデータが一旦書き込まれるべきバッファ２１２（図３参照）のうち、バッファ（０）〜バッファ（７）の何れか１つを指定するアドレスが含まれている。
【００９３】
図１０は、本発明の実施の形態３に係る携帯情報端末１００における二次電池１の残容量算出時のＣＰＵ５１及び通信部２１の処理手順を示すフローチャートである。図１０の端末本体１０２側の処理は、例えば２５０ｍｓ周期で起動されるが、これに限定されるものではない。一方のパック電池１０１側の処理は、メモリＩＣ２に最初に通電されたときから起動されている。
【００９４】
端末本体１０２側で図１０の処理が起動された場合、ＣＰＵ５１は、電流検出部５７を用いて検出した二次電池１の充放電電流を時系列的に積算して残容量を算出し（Ｓ６１）、残容量比（ＲＳＯＣ）のデータを更新する。ＣＰＵ５１は、また、二次電池１の放電容量を積算し（Ｓ６２）、積算した放電容量が二次電池１の初期容量又は設計容量に達したか否か、即ち、充放電サイクルを１サイクル更新したか否かを判定し（Ｓ６３）、更新しない場合（Ｓ６３：ＮＯ）、そのまま図１０の処理を終了する。
【００９５】
充放電サイクルを１サイクル更新した場合（Ｓ６３：ＹＥＳ）、ＣＰＵ５１は、更新した充放電サイクル数に応じて増大する二次電池１の内部抵抗に基づいて、内抵テーブル１を更新する（Ｓ６４）。その後、ＣＰＵ５１は、内抵テーブル１の上書要求を、通信部５５を介して通信部２１に送信し（Ｓ６５）、送信した上書きデータについてＣＲＣ演算を行い（Ｓ６６）、内抵テーブル１の全データの上書要求済みであるか否かを判定する（Ｓ６７）。本実施の形態３では、内抵テーブル１の上書要求は、内抵テーブル１が記憶されているＥＥＰＲＯＭ２２の記憶領域のアドレスを指定するＨＤＱ通信のコマンドである（以下、他の上書要求及び記憶要求についても同様）。
【００９６】
まだ上書要求していないデータがある場合（Ｓ６７：ＮＯ）、ＣＰＵ５１は、次の上書要求を送信するために、ステップＳ６５に処理を移す。全データの上書要求済みである場合（Ｓ６７：ＹＥＳ）、ＣＰＵ５１は、演算したＣＲＣデータの書込要求を、通信部５５を介して通信部２１に送信し（Ｓ６８）、図１０の処理を終了する。本実施の形態３では、ＣＲＣデータの書込要求は、ＣＲＣデータが書き込まれるべき通信部２１のレジスタのアドレスを指定するＨＤＱ通信のコマンドであり、コマンドに付随するデータが、上記レジスタに書き込まれるべきＣＲＣデータである。
【００９７】
一方のパック電池側では、通信部２１が、書込要求を受信したか否かを判定して（Ｓ１２１）受信するまで待機しており（Ｓ１２１：ＮＯ）、書込要求を受信した場合（Ｓ１２１：ＹＥＳ）、受信した書込要求が内抵テーブル１の上書要求であるか否かを判定する（Ｓ１２２）。内抵テーブル１の上書要求である場合（Ｓ１２２：ＹＥＳ）、通信部２１は、上書要求で指定されたバッファ（０）〜バッファ（７）の何れか１つに受信データを書き込み（Ｓ１２３）、書き込んだデータについてＣＲＣ演算を行って（Ｓ１２４）、ステップＳ１２１に処理を戻す。
【００９８】
尚、受信した書込要求が内抵テーブル１の上書要求であるか否かを判定して、指定されたバッファ（）に受信データを書き込む処理は、前述したページレジスタ２１１とＨＤＱ通信のコマンドのアドレスとによって指定されるＥＥＰＲＯＭ２２の記憶領域のページ番号と行番号（図３参照）とを保持しておいて、ＨＤＱ通信のコマンドのアドレスによって指定されるバッファ（）に、受信データを書き込むことで実現される（以下、他の上書要求及び記憶要求についても同様）。
【００９９】
ステップＳ１２２で、受信した書込要求が内抵テーブル１の上書要求ではない場合（Ｓ１２２：ＮＯ）、通信部２１は、受信した書込要求がＣＲＣデータの書込要求であるか否かを判定し（Ｓ１２５）、ＣＲＣデータの書込要求でもない場合（Ｓ１２５：ＮＯ）、ステップＳ１２１に処理を戻す。受信した書込要求がＣＲＣデータの書込要求である場合（Ｓ１２５：ＹＥＳ）、通信部２１は、演算したＣＲＣデータと、受信してレジスタに書き込んだＣＲＣデータとを比較し（Ｓ１２６）、比較結果が一致するか否かを判定する（Ｓ１２７）。上記ＣＲＣデータの書込要求の判定に係る処理は、ＨＤＱ通信のコマンドのアドレスによって指定されるレジスタ（ＣＲＣレジスタ）に、受信データ（ＣＲＣデータ）を書き込むことで実現される。
【０１００】
ＣＲＣデータの比較結果が一致しなかった場合（Ｓ１２７：ＮＯ）、通信部２１は、バッファ２１２からＥＥＰＲＯＭ２２への書き込みを行うことなく、ステップＳ１２１に処理を戻す。一方、ＣＲＣデータの比較結果が一致した場合（Ｓ１２７：ＹＥＳ）、通信部２１は、保持されている行番号で指定されるＥＥＰＲＯＭ２２の４バイト分の記憶アドレスに対して、バッファ２１２全体の内容を書き込み（Ｓ１２８）、ステップＳ１２１に処理を戻す
【０１０１】
その他、実施の形態１に対応する箇所には同様の符号を付して、その詳細な説明を省略する。
【０１０２】
以上のように本実施の形態３によれば、端末本体は、ＲＡＭに記憶した残容量算出用のテーブルの一部である内抵テーブル１を、二次電池の充放電サイクルカウントのカウントアップ時に更新し、更新した内抵テーブル１をパック電池のＥＥＰＲＯＭに記憶された内抵テーブル１に上書きする要求をパック電池の通信部に送信する。一方のパック電池の通信部は、（端末本体から内抵テーブル１を上書きする）要求を受信して、要求された上書きデータを、ＥＥＰＲＯＭに記憶した内抵テーブル１に上書きする。
従って、二次電池の使用に伴う劣化に応じて、電気機器（端末本体）及びパック電池に記憶されているパラメータの一部（内抵テーブル１）が更新されるため、パック電池が交換又は脱着された場合であっても、二次電池の残容量の算出に際して二次電池の劣化を適切に反映させることが可能となる。
【０１０３】
また、端末本体は、更新した内抵テーブル１をパック電池のＥＥＰＲＯＭに記憶された内抵テーブル１に上書きする要求に、更新したデータのＣＲＣ演算結果のデータを付加してパック電池の通信部に送信する。一方のパック電池の通信部は、（電気機器から内抵テーブル１を上書きする）要求を受信し、要求された上書きデータをバッファ（第２のメモリ）に一旦記憶すると共にＣＲＣ演算し、演算結果のＣＲＣデータと、受信した要求に含まれるＣＲＣデータとの比較結果が一致した場合にのみ、バッファに一旦記憶した内抵テーブル１の上書きデータを、ＥＥＰＲＯＭに記憶した内抵テーブル１に上書きする。
従って、電気機器（端末本体）からパック電池にパラメータ（内抵テーブル１）の上書き要求が送信される間に、例えばパック電池の脱着等によって誤ったデータがパック電池に受信された場合であっても、パック電池のメモリ（ＥＥＰＲＯＭ）に記憶されたパラメータのデータ破壊を防止することが可能となる。
【０１０４】
更にまた、端末本体のＲＡＭに記憶された残容量算出用のテーブルのうち、更新された内抵テーブル１のサイズよりも、パック電池の通信部が有するバッファ（第２のメモリ）のサイズの方が小さくないことが担保されている。
従って、パラメータ（内抵テーブル１）の上書き要求が２つ以上の要求（コマンド）に分割されてパック電池（の通信部）に送信された場合であっても、全ての要求が誤りなくパック電池（の通信部）に受信された場合にのみ、パック電池のメモリ（ＥＥＰＲＯＭ）に記憶されたパラメータを更新することが可能となる。
【０１０５】
尚、本実施の形態３にあっては、内抵テーブル１の上書要求にＣＲＣデータを付加する例について説明したが、これに限定されるものではなく、例えば一般的にコマンド全般に対してＣＲＣデータを付加するようにしてもよい。それにより、メモリＩＣ２が誤ったコマンドを受信してＥＥＰＲＯＭ２２の内容を書き替えることが防止される。
【０１０６】
（実施の形態４）
実施の形態１が、携帯情報端末１００に本発明を適用する形態であるのに対し、実施の形態４は、携帯情報端末１００が収容された情報処理システムに本発明を適用する形態である。
【０１０７】
図１１は、本発明の実施の形態４に係る情報処理システムの構成を模式的に示す説明図である。図中９は情報処理システムであり、情報処理システム９は、本発明の実施の形態１から３に係る携帯情報端末１００，１００・・１００と、携帯電話網等のネットワーク９０に接続された汎用のサーバ装置からなる情報処理装置９１とを含んで構成される。携帯情報端末１００，１００・・１００の夫々は、本体部６に含まれる表示部６１を有しており、アクセスポイント９２及び基地局９３を介してネットワーク９０に収容されている。
【０１０８】
情報処理装置９１は、図示しないＣＰＵとＨＤＤ（Hard Disk Drive ）からなる外部記憶装置とを備え、該外部記憶装置には、携帯情報端末１００，１００・・１００の不具合に係る不具合情報を記憶する不具合情報データベースが記録されている。情報処理装置９１は、各携帯情報端末１００から定期的に又は不定期的に送信されたパック電池１０１の識別情報を受信し、受信した識別情報に対応して前記不具合情報データベースに記憶されている不具合情報を、受信した識別情報の送信元の携帯情報端末１００に送信する。携帯情報端末１００では、端末本体１０２が情報処理装置９１から受信した不具合情報が、パック電池１０１に送信されてＥＥＰＲＯＭ２２に記憶される。
【０１０９】
図１２は、不具合情報データベースの内容を例示する説明図である。不具合情報データベースには、識別情報のうちの型式情報及び製番情報と、８項目の不具合の有無がビット毎の１／０によって示される８ビットの不具合情報とを対応付けて記憶してある。図１２の例では、型式情報として「型式１、型式２、・・・・型式ｘ」が記憶されており、「型式１」の型式情報を有するパック電池１０１の製番情報として「製番１１、製番１２、・・製番１ｍ」が記憶されている。同様に「型式２」の型式情報を有するパック電池１０１の製番情報として「製番２１、製番２２、・・製番２ｎ」が記憶されており、「型式ｘ」の型式情報を有するパック電池１０１の製番情報として「製番ｘ１、製番ｘ２、・・製番ｘｙ」が記憶されている。不具合情報データベースの構成は、図１２に示すものに限定されない。
【０１１０】
以下では、上述した情報処理システム９の動作を、それを示すフローチャートを用いて説明する。以下に示す処理は、情報処理装置９１では、図示しないＣＰＵによって実行され、パック電池１０１では、通信部２１（が備える図示しないＣＰＵ）によって実行される。端末本体１０２側の処理は、本体部６の図示しないＣＰＵが実行し、ＦＧＩＣ５を介してパック電池１０１と信号を授受するものとして説明するが、これに限定されるものではない。例えば、端末本体１０２側の処理をＦＧＩＣ５のＣＰＵ５１が実行し、情報処理装置９１に対しては本体部６を介して信号を授受するようにしてもよい。
【０１１１】
図１３は、本発明の実施の形態４に係る情報処理システム９における情報処理装置９１、端末本体１０２及びパック電池１０１の処理手順を示すフローチャートである。図１３の処理のうち、情報処理装置９１側及び端末本体１０２側の処理は、夫々適時起動される。また、パック電池１０１側の処理は、本来ならば実施の形態１の図６及び図７に示す処理に付加されるべき処理であるが、簡単のために、メモリＩＣ２に最初に通電されたときから独立して起動された処理であるものとして説明する。
尚、端末本体１０２に保持されている識別情報は、パック電池１０１の装着時にパック電池１０１のＥＥＰＲＯＭ２２から読み出されて、ＦＧＩＣ５のＲＡＭ５３に記憶されている識別情報である。
【０１１２】
端末本体１０２側で図１３の処理が起動された場合、本体部６のＣＰＵは、識別情報としてパック電池１０１の型式情報及び製番情報を情報処理装置９１に送信した（Ｓ７１）後、情報処理装置９１側の処理結果として不具合情報を受信したか否かを判定して（Ｓ７２）、受信するまで待機する（Ｓ７２：ＮＯ）。ここで、例えば不具合情報に不具合有のビットが立っている場合にのみ、情報処理装置９１から不具合情報が送信される場合は、端末本体１０２にて所定時間内に不具合情報が受信されなかったとき（Ｓ７２：ＮＯ）に、図１３の処理を終了すればよい。
【０１１３】
一方の情報処理装置９１のＣＰＵは、図１３の処理の起動後、端末本体１０２から識別情報を受信したか否かを判定して（Ｓ２０１）、受信するまで待機している（Ｓ２０１：ＮＯ）。識別情報を受信した場合（Ｓ２０１：ＹＥＳ）、情報処理装置９１のＣＰＵは、受信した識別情報（型式情報及び製番情報）に対応して図１２に示す不具合情報データベースに記憶されている不具合情報を読み出し（Ｓ２０２）、読み出した不具合情報を、識別情報の送信元の端末本体１０２に送信して（Ｓ２０３）図１３の処理を終了する。
【０１１４】
他方の端末本体１０２では、不具合情報を受信した場合（Ｓ７２：ＹＥＳ）、本体部６のＣＰＵは、受信した不具合情報の上書要求を（通信部５５を介して）パック電池１０１の通信部２１に送信し（Ｓ７３）、図１３の処理を終了する。
【０１１５】
もう一方のパック電池１０１では、通信部２１が、端末本体１０２から上書要求を受信したか否かを判定して（Ｓ１３１）、受信するまで待機しており（Ｓ１３１：ＮＯ）、上書要求を受信した場合（Ｓ１３１：ＹＥＳ）、受信した不具合情報をＥＥＰＲＯＭ２２に上書きした（Ｓ１３２）後、ステップＳ１３１に処理を戻す。
【０１１６】
その他、実施の形態１に対応する箇所には同様の符号を付して、その詳細な説明を省略する。
尚、本実施の形態４では、携帯情報端末１００の端末本体１０２から情報処理装置９１にアクセスして不具合情報を個別に受信する例を示したが、情報処理装置９１から不具合情報データベースに記憶された不具合情報を一斉送信し、これを受信した携帯情報端末１００の端末本体１０２が情報処理装置９１に応答を返信するようにしてもよい。
【０１１７】
以上のように本実施の形態４によれば、携帯情報端末（電池駆動装置）における端末本体の本体部は、パック電池から受信されてＦＧＩＣのＲＡＭ（記憶部）に記憶された識別情報を情報処理装置に送信し、パック電池の不具合の有無を示す不具合情報を情報処理装置から受信し、受信した不具合情報をパック電池のＥＥＰＲＯＭ（メモリ）に上書きする上書要求をパック電池の通信部に送信する。
携帯情報端末と通信可能に接続された情報処理装置が備える外部記憶装置に記録された不具合情報データベースには、識別情報に対応付けて不具合情報を記憶してある。情報処理装置は、パック電池から受信した識別情報に対応する不具合情報を読み出して端末本体の本体部に送信する。
一方のパック電池の通信部は、端末本体の本体部から（ＦＧＩＣを介して）不具合情報を上書きする要求を受信し、要求された不具合情報をＥＥＰＲＯＭに上書きする。
従って、情報処理装置とネットワークを介して接続された電池駆動装置が備えるパック電池の不具合状況を、情報処理装置にて一元的に管理することが可能となり、更に、パック電池の不具合の有無をパック電池のメモリに記憶することが可能となる。このような不具合情報により、パック電池の充電又は放電を禁止したり、端末本体の本体部が有する表示部に、パック電池に不具合がある旨の表示をしたりすることも可能となる。
【０１１８】
（実施の形態５）
実施の形態４が、情報処理装置９１の不具合情報データベースに記憶された不具合情報が携帯情報端末１００に送信される形態であるのに対し、実施の形態５は、情報処理装置９１が、携帯情報端末１００から受信した使用履歴情報（実施の形態１で前述のとおり、二次電池１で発生した過電流及び過電圧の情報（例えば過電圧となった回数、又はその電圧値）、並びに、二次電池１の温度情報（例えば所定温度以上の高温となった回数、又はその温度））に基づいて、使用履歴情報データベースを更新し、不具合有と判定される場合に、不具合情報を携帯情報端末１００に送信する形態である。
【０１１９】
本実施の形態５では、パック電池１０１のＥＥＰＲＯＭ２２に記憶された二次電池１の使用履歴情報が端末本体１０２から読み出されて適宜更新され、更新された使用履歴情報がパック電池１０１のＥＥＰＲＯＭに書き戻されて、識別情報と共に情報処理装置９１に送信される。情報処理装置９１では、識別情報に対応付けられた使用履歴情報データベースが外部記憶装置に記録されており、受信された識別情報及び使用履歴情報に基づいて、使用履歴情報データベースが更新され、更新結果からパック電池１０１に不具合有と判定される場合に、不具合情報が端末本体１０２を介してパック電池１０１のＥＥＰＲＯＭ２２に上書きされる。
【０１２０】
図１４は、本発明の実施の形態５に係る情報処理システム９における情報処理装置９１、端末本体１０２及びパック電池１０１の処理手順を示すフローチャートである。図１４の処理のうち、情報処理装置９１側及び端末本体１０２側の処理は、夫々適時起動される。また、パック電池１０１側の処理は、簡単のために、メモリＩＣ２に最初に通電されたときから独立して起動された処理であるものとして説明する。
【０１２１】
端末本体１０２側で図１４の処理が起動された場合、本体部６のＣＰＵは、パック電池１０１のＥＥＰＲＯＭ２２に記憶されている使用履歴情報の読出要求をパック電池１０１の通信部２１に送信する（Ｓ８１）。
【０１２２】
一方のパック電池１０１では、通信部２１は、端末本体１０２から読出要求を受信したか否かを判定し（Ｓ１４１）、読出要求を受信した場合（Ｓ１４１：ＹＥＳ）、ＥＥＰＲＯＭ２２から使用履歴情報を読み出して（Ｓ１４２）端末本体１０２に送信した（Ｓ１４３）後、ステップＳ１４１に処理を戻す。
【０１２３】
他方の端末本体１０２では、本体部６のＣＰＵは、通信部２１から送信された使用履歴情報を受信して図示しないメモリに記憶し（Ｓ８２）、記憶した使用履歴情報を、パック電池１０１の使用に応じて適宜（例えば残容量の算出の過程で）更新する（Ｓ８３）。その後、本体部６のＣＰＵは、更新した使用履歴情報の記憶要求をパック電池１０１の通信部２１に送信する（Ｓ８４）と共に、情報処理装置９１に対しては、識別情報を送信（Ｓ８５）した後に、更新した使用履歴情報を送信する（Ｓ８６）。
【０１２４】
一方のパック電池１０１では、読出要求を受信しなかった場合（Ｓ１４１：ＮＯ）、通信部２１は、端末本体１０２から記憶要求を受信したか否かを判定し（Ｓ１４４）、記憶要求を受信した場合（Ｓ１４４：ＹＥＳ）、記憶を要求された使用履歴情報をＥＥＰＲＯＭ２２に記憶した（Ｓ１４５）後、ステップＳ１４１に処理を戻す。
【０１２５】
もう一方の情報処理装置９１では、ＣＰＵは、端末本体１０２から識別情報を受信したか否かを判定して（Ｓ２１１）、受信するまで待機しており（Ｓ２１１：ＮＯ）、識別情報を受信した場合（Ｓ２１１：ＹＥＳ）、これに続けて使用履歴情報を受信したか否かを判定し（Ｓ２１２）、受信するまで待機する（Ｓ２１２：ＮＯ）。使用履歴情報を受信した場合（Ｓ２１２：ＹＥＳ）、情報処理装置９１のＣＰＵは、受信した使用履歴情報に基づいて、先に受信した識別情報に対応する使用履歴情報データベース（ＤＢ）を更新する（Ｓ２１３）と共に、更新結果から不具合の有無を精査し（Ｓ２１４）、不具合が有るか否かを判定する（Ｓ２１５）。その後、情報処理装置９１のＣＰＵは、不具合が無い場合（Ｓ２１５：ＮＯ）、図１４の処理を終了し、不具合が有る場合（Ｓ２１５：ＹＥＳ）、識別情報及び使用履歴情報の送信元の端末本体１０２に不具合情報を送信して（Ｓ２１６）、図１４の処理を終了する。
【０１２６】
他方の端末本体１０２では、本体部６のＣＰＵは、情報処理装置９１から所定時間内に不具合情報を受信したか否かを判定しており（Ｓ８７）、受信しなかった場合（Ｓ８７：ＮＯ）、図１４の処理を終了する。所定時間内に不具合情報を受信した場合（Ｓ８７：ＹＥＳ）、端末本体１０２は、受信した不具合情報の上書要求をパック電池１０１の通信部２１に送信した（Ｓ８８）後、図１４の処理を終了する。
【０１２７】
一方のパック電池１０１では、記憶要求を受信しなかった場合（Ｓ１４４：ＮＯ）、通信部２１は、端末本体１０２から上書要求を受信したか否かを判定する（Ｓ１４６）。上書要求を受信した場合（Ｓ１４６：ＹＥＳ）、通信部２１は、上書きを要求された不具合情報をＥＥＰＲＯＭ２２に上書きした（Ｓ１４７）後、ステップＳ１４１に処理を戻す。また、上書要求を受信しなかった場合（Ｓ１４６：ＮＯ）、通信部２１は、ステップＳ１４１に処理を戻す。
【０１２８】
その他、実施の形態１及び４に対応する箇所には同様の符号を付して、その詳細な説明を省略する。
【０１２９】
以上のように本実施の形態５によれば、携帯情報端末（電池駆動装置）における端末本体の本体部は、パック電池から使用履歴情報を読み出す要求をパック電池の通信部に送信し、パック電池の通信部から受信してメモリに記憶した使用履歴情報を、例えば残容量の算出の過程で更新し、更新した使用履歴情報をパック電池のＥＥＰＲＯＭに記憶する要求をパック電池の通信部に送信する。電気機器は、また、パック電池の通信部から受信して記憶した識別情報と、更新した使用履歴情報とを情報処理装置に送信する。
携帯情報端末と通信可能に接続された情報処理装置は、端末本体の本体部から受信した識別情報に対応付けて記憶してある使用履歴情報データベースを、端末本体の本体部から受信した使用履歴情報に基づいて更新し、更新結果に不具合有と判定される場合（例えば、過電圧となった回数が多い傾向があるとき、又は新たに発見されたパック電池の問題点が使用履歴情報の温度情報（高温となった回数）と関連性が高いとき）には、不具合情報を端末本体の本体部に送信する。
一方のパック電池は、端末本体の本体部から使用履歴情報を読み出す要求を受信し、ＥＥＰＲＯＭから使用履歴情報を読み出し、読み出した使用履歴情報を端末本体の本体部に送信する。パック電池は、また、端末本体の本体部から使用履歴情報を記憶する要求を受信し、要求された使用履歴情報をＥＥＰＲＯＭに記憶する。
従って、例えばパック電池における過電流、過電圧及び異常高温等の使用履歴に基づく不具合発生の有無を情報処理装置にて判定し、新たに不具合発生有と判定した場合は、電気機器を介してパック電池に不具合情報を送信して記憶させることが可能となる。
【０１３０】
（実施の形態６）
実施の形態５が、端末本体１０２にて、パック電池１０１の不具合情報の内容を関知しない形態であるのに対し、実施の形態６は、端末本体１０２にて不具合情報に基づく判定と表示とを行う形態である。実施の形態６では、パック電池１０１のＥＥＰＲＯＭ２２に記憶された不具合情報が端末本体１０２から読み出されて不具合の有無が判定され、不具合有りと判定される場合は、その旨が表示される。
【０１３１】
図１５は、本発明の実施の形態６に係る情報処理システム９における端末本体１０２及びパック電池１０１の処理手順を示すフローチャートである。図１５の処理のうち、端末本体１０２側の処理は適時起動される。また、パック電池１０１側の処理は、簡単のために、メモリＩＣ２に最初に通電されたときから独立して起動された処理であるものとして説明する。
【０１３２】
端末本体１０２側で図１５の処理が起動された場合、本体部６のＣＰＵは、パック電池１０１のＥＥＰＲＯＭ２２に記憶されている不具合情報の読出要求をパック電池１０１の通信部２１に送信する（Ｓ９１）。
【０１３３】
一方のパック電池１０１では、通信部２１は、読出要求を受信したか否かを判定して（Ｓ１５１）受信するまで待機しており（Ｓ１５１：ＮＯ）、読出要求を受信した場合（Ｓ１５１：ＹＥＳ）、受信した要求が不具合情報の読出要求であるか否かを判定する（Ｓ１５２）。不具合情報の読出要求ではない場合（Ｓ１５２：ＮＯ）、通信部２１は、ステップＳ１５１に処理を戻す。受信した要求が不具合情報の読出要求である場合（Ｓ１５２：ＹＥＳ）、通信部２１は、不具合情報をＥＥＰＲＯＭ２２から読み出し（Ｓ１５３）、読み出した不具合情報を端末本体１０２に送信した（Ｓ１５４）後、ステップＳ１５１に処理を戻す。
【０１３４】
他方の端末本体１０２では、本体部６のＣＰＵは、通信部２１から送信された不具合情報を受信し（Ｓ９２）、受信した不具合情報が不具合有りを示すか否かを判定する（Ｓ９３）。不具合有りを示していない場合（Ｓ９３：ＮＯ）、本体部６のＣＰＵは、そのまま図１５の処理を終了する。受信した不具合情報が不具合有りを示す場合（Ｓ９３：ＹＥＳ）、本体部６のＣＰＵは、表示部６１に、例えばパック電池１０１の交換を促すアラーム表示を行った（Ｓ９４）後、図１５の処理を終了する。
【０１３５】
尚、端末本体１０２が、パック電池１０１の充電器としての機能を備える場合は、ステップＳ９４で行うアラーム表示に加えて、パック電池１０１の充電を抑止する措置を講じるようにしてもよい。
【０１３６】
その他、実施の形態１及び４に対応する箇所には同様の符号を付して、その詳細な説明を省略する。
【０１３７】
以上のように本実施の形態６によれば、携帯情報端末（電池駆動装置）における端末本体（電気機器）の本体部は、パック電池から不具合情報を読み出す要求をパック電池の通信部に送信し、パック電池の通信部から受信した不具合情報が不具合有を示す場合、表示部に所定の表示を行うと共に、パック電池の二次電池の充電を抑止する措置を講じる。
一方のパック電池は、端末本体の本体部から不具合情報を読み出す要求を受信し、ＥＥＰＲＯＭから不具合情報を読み出し、読み出した不具合情報を端末本体の本体部に送信する。
従って、不具合が発生したパック電池の交換を促すメッセージを電気機器に表示することが可能になると共に、パック電池の充電を抑止することが可能となる。
【０１３８】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【０１３９】
１  二次電池
１００  携帯情報端末（電池駆動装置）
１０１  パック電池
１０２  端末本体（電気機器）
２  メモリＩＣ
２２  ＥＥＰＲＯＭ（メモリ）
２１２  バッファ（第２のメモリ）
５  ＦＧＩＣ
５１  ＣＰＵ
５２  ＲＯＭ
５３  ＲＡＭ（記憶部）
６１  表示部
９  情報処理システム
９０  ネットワーク
９１  情報処理装置
【図１】
2013050358.tif 000003
【図２】
2013050358.tif 000004
【図３】
2013050358.tif 000005
【図４】
2013050358.tif 000006
【図５】
2013050358.tif 000007
【図６】
2013050358.tif 000008
【図７】
2013050358.tif 000009
【図８】
2013050358.tif 000010
【図９】
2013050358.tif 000011
【図１０】
2013050358.tif 000012
【図１１】
2013050358.tif 000013
【図１２】
2013050358.tif 000014
【図１３】
2013050358.tif 000015
【図１４】
2013050358.tif 000016
【図１５】
2013050358.tif 000017